(57)【要約】【課題】魚を移動させることなく金魚鉢を掃除できるようにする金魚鉢清掃機に関するもので、金魚鉢の水を二重フィルタを用いてきれいにろ過させる一方、ポンプの故障やフィルタの詰まりによる水の排出停止をすぐ知らせて処置可能にする金魚鉢掃除機を提供する。【解決手段】本発明は、金魚鉢の水と共に排泄物を排出させる排出手段と、排出される水から排泄物をろ過するフィルタ手段と、排泄物がろ過された水を金魚鉢に充填する回収手段と、を備える金魚鉢清掃機において、前記フィルタ手段の下側に、停滞している水を外部に排出させる排出口を形成し、フィルタ手段を覆うための蓋体にはフィルタ手段を確認するための透視窓と照明器を設置する一方、蓋体の内側にはフィルタを通過しない水を感知する感知器を設置してなることを特徴とする。【選択図】図２
2009159922.tif 000002
【特許請求の範囲】
【請求項１】
金魚鉢（１）の水を吸入配管（１０）を介して本体（３０）に流入させてフィルタにてろ過して後、水中ポンプ（６０）を用いて排出配管（２０）を介して金魚鉢（１）に排出させる金魚鉢清掃機において、
前記本体（３０）内の水中ポンプの上側にフィルタ（４０、４０ａ）を二重に設けて金魚鉢（１）の水を２回にわたってろ過し、前記フィルタ（４０、４０ａ）によりろ過された水をポンプ（６０）を介して金魚鉢（１）に排出する一方、ポンプ（６０）よりも高い位置の本体（３０）には水を外部に排出させる排出口（３４）を設置し、前記本体（３０）を覆うための蓋体（３１）には、内部を確認するための透視窓（３１ａ）と、内部を照らすための照明器（３１ｂ）とを設置する一方、フィルタ（４０、４０ａ）の上部に満たされてくる水を感知して警報器（３１ｄ）を駆動させる感知器（３１ｃ）を設置してなることを特徴とする金魚鉢清掃機。
【請求項２】
フィルタ（４０ａ）は、水中ポンプ（６０）の上側で本体（３０）に突設された支持具（３６）に支持されて設けられ、前記フィルタ（４０ａ）の上側にフィルタ（４０）が積層設置されることを特徴とする請求項１に記載の金魚鉢清掃機。
【請求項３】
フィルタ（４０、４０ａ）は、排出孔（４２）が形成されたフィルタケース（４１）の内側に異物をろ過するフィルタ網（４３）を設けた後、前記フィルタ網（４３）の上部外側をフィルタケース（４１）に密着させる密着枠体（４４）を備えてなることを特徴とする請求項１または２に記載の金魚鉢清掃機。
【発明の詳細な説明】
【技術分野】
【０００１】
本発明は、金魚鉢の底に蓄積される魚の排泄物及び異物を水と共に排出させて金魚鉢をきれいに掃除するが、排泄物及び異物の除去された水を再び金魚鉢に回収させることにより金魚鉢の水が減らずに魚を移動させることなく金魚鉢を掃除できるようにした金魚鉢に係り、特に、金魚鉢の水を二重フィルタを用いてきれいにろ過させる一方、ポンプの故障やフィルタの詰まりによる水の排出停止をすぐ知らせて処置可能にする金魚鉢に関する。
【背景技術】
【０００２】
通常、魚の姿を観察して室内湿度を調節するために金魚鉢を設置している。ところが、金魚鉢には、魚の排泄物と餌が沈殿して腐敗し、さらに苔が生えてくるので、金魚鉢をきれいに維持管理するためには相当な手間がかかり、金魚鉢の水質をきれいに保つことが何よりも煩わしいことであった。
【０００３】
金魚鉢内では、魚が餌を食べて排泄物を排出すると、この排泄物が金魚鉢の底に沈殿して腐敗し、さらに猛毒である亜窒酸が発生する。このため、魚の死滅を防止するためには周期的に金魚鉢の水を取り替える必要がある。しかしながら、金魚鉢の水を取り替える作業は相当な煩雑さがあり、魚を移動させなければならない不便さがある。それで従来は、金魚鉢の水を浄水器で浄化した後にさらに金魚鉢に投入する方式を採用するか、金魚鉢の底に沈殿してある排泄物と異物を水と共に排出させる方式を採用して金魚鉢の水質を保っていた。しかし、前者は絶え間なく金魚鉢の水を浄化しなければならないので、電気料金の上昇を招き、しかも浄化フィルタの交換費用がかかるという欠点があり、後者は電気料金とフィルタ費用はかからないが、排泄物と共に金魚鉢の水が減少するため、掃除後に金魚鉢に水を充填する必要があるという不具合がある。
【０００４】
このため、本出願人による実用新案登録第３４７６１９号には、かかる問題点を勘案したものとして、金魚鉢の底に沈殿してある排泄物と異物を水と共に排出させた後、排泄物と異物をフィルタでろ過し、水は再び金魚鉢に充填することで金魚鉢をきれいに掃除できる一方、金魚鉢の水が減らず、金魚鉢の水を汚染させる汚染源を簡単に除去できることから、魚の生息環境を保全することができる金魚鉢清掃機が開示されている。
【０００５】
また、本出願人による実用新案登録第３７０５９４号には、金魚鉢の水を排出させる吸入配管に開閉弁を設置し、吸入配管に沿って排出される金魚鉢の水を適切に調節することにより、金魚鉢内の異物のみを排出させる一方、フィルタでろ過された水を金魚鉢に回収する排出配管に設けられた逆止め弁に排出孔を形成することにより、ポンプ作業の完了後に排出配管に残っている水を迅速に排水できるようにする装置が開示されている。
【０００６】
しかし、これら先登録実用新案は、金魚鉢の水のフィルタによるろ過過程を外部から確認できないため、ポンプの故障や異物によるフィルタの詰まりが発生した場合、金魚鉢への水の投入を防ぐことができないから、水が溢れてしまうという不具合があり、また、一つのフィルタのみを用いることから、水をきれいにろ過するのに限界があり、特にフィルタの交換が容易ではないという不便さがある。
【発明の開示】
【発明が解決しようとする課題】
【０００７】
したがって、本発明は、上記の事情に鑑みてなされたものであり、その目的は、金魚鉢の底に沈殿してある排泄物と異物を水と共に排出させた後、排泄物と異物をフィルタでろ過し、水を再び金魚鉢に充填させる掃除装置において、ポンプによる排出が円滑でない場合、フィルタでろ過された水を外部に排出させる一方、 フィルタによる水のろ過過程を目視で確認できると共に、フィルタから水が排出できない場合、それをユーザに知らせることができる金魚鉢掃除機を提供することにある。
【０００８】
また、本発明の目的は、二重フィルタを用いて水をきれいにろ過させる一方、フィルタを簡単に交換することができる金魚鉢掃除機を提供することにある。
【課題を解決するための手段】
【０００９】
本発明は、金魚鉢の水と共に排泄物を排出させる排出手段と、排出される水から排泄物をろ過するフィルタ手段と、排泄物がろ過された水を金魚鉢に充填する回収手段と、を備える金魚鉢清掃機において、前記フィルタ手段の下側に、停滞している水を外部に排出させる排出口を形成し、フィルタ手段を覆うための蓋体にはフィルタ手段を確認するための透視窓と照明器を設置する一方、蓋体の内側にはフィルタを通過しない水を感知する感知器を設置してなるものであり、ポンプによる水の排出が円滑でない場合やフィルタが詰まる場合に発生する水の溢れを防止する一方、水の停滞を迅速に知らせることを特徴とする。
【００１０】
また、本発明は、二重フィルタを設けることで水をきれいにろ過させる一方、前記フィルタを簡便に交換し得ることを特徴とする。
【発明の効果】
【００１１】
本発明は、金魚鉢の掃除の際に、水と共に排泄物及び異物を排出させて水質汚染の原因を除去した後、きれいな水は再び金魚鉢に回収させて金魚鉢の水の減少を防止しながらも掃除を行える一方、魚を金魚鉢から取り出さず掃除することができるので、魚のストレスを減らし、さらに水をほとんど捨てないので、水を補充することが不要となり、しかもポンプが故障する場合、水を外部に排出させるようにし、万が一フィルタから水が排出できない場合は、それをユーザに迅速に知らせることができる。
【００１２】
また、本発明は、フィルタによる水のろ過過程を目視で確認することができる一方、二重フィルタを用いてきれいにろ過することができ、さらにフィルタを簡便に交換することができる。
【発明を実施するための最良の形態】
【００１３】
本発明は、水中ポンプ６０とフィルタ４０、４０ａを有する本体３０に吸入配管１０と排出配管２０を設置し、金魚鉢１の水を吸入配管１０を介して本体３０に流入させ、本体３０に流入した水をフィルタ４０、４０ａに通し、水と共に排出された排泄物及び異物をフィルタ４０、４０ａでろ過し、その後、排泄物がろ過された水を水中ポンプ６０でポンピングし、排出配管２０を介して金魚鉢１に回収させる金魚鉢清掃機において、前記水中ポンプ６０よりも高い位置の本体３０に排出口３４を形成することにより、水中ポンプ６０によるポンピングができない場合、水が排出口３４を介して外部に排出できるようにし、また、吸入配管１０に流入した金魚鉢１の水をろ過するフィルタ４０、４０ａを二重に設けることにより、水をきれいにろ過できるようにし、しかも、前記フィルタ４０、４０ａを簡単に交換できるようにし、なお、前記本体３０を覆うための蓋体３１には透視窓３１ａと照明器３１ｂ及び感知器３１ｃを設置することにより、フィルタ４０、４０ａによる水のろ過過程を照明器３１ｂの明りで透視窓３１ａから確認することができ、さらに、フィルタ４０、４０ａから水が円滑に排出できない場合、感知器３１ｃにて水が満たされてくることを感知して警報器３１ｄを駆動させることができる。
【００１４】
本発明では、吸入配管１０と本体３０との間に開閉弁８０を設置し、排出配管２０に設置された逆止め弁(check valve)２１の止め板(check plate)２１ａには排出孔２１ｂを形成するが、このとき、前記止め板２１ａには排出孔２１ｂの代わりに一側に空間部２１ｃを形成してもよく、止め板２１ａの上側の水の流下を可能にするものであれば構わない。
【００１５】
本発明では、吸入配管１０を本体３０の上部を覆うための蓋体３１に着脱可能に結合し、前記吸入配管１０の中間には水を吸い込むための吸入器１１を設置し、先端には吸入口１２を設置する。前記吸入器１１を押して水を吸入配管１０に流入させた後、本体３０に排出し、また、吸入口１２を吸入配管１０よりも大径にし、排泄物のみを水と共に排出させる一方、砂は吸入口１２で若干浮び上がるが排出されないようにする。
【００１６】
本発明は、前記吸入配管１０を用いて金魚鉢１の水を排出させるとき、金魚鉢１の位置よりも本体３０の位置が低い場合、その位置差が大きければ大きいほど吸入配管１０を介して排出される水の量が多くなり、金魚鉢１の砂まで排出されることがある。よって、それを防止するために開閉弁８０を設置し、吸入配管１０を介して排出される水の量を調節することにより、金魚鉢１と本体３０の位置差が大きい場合は開閉弁８０を調整して水の排出量を減らして砂の排出を防止する。
【００１７】
また、本発明では、本体３０内の底部にはポンプ６０を設置し、前記ポンプ６０の吸入口は底部に臨ませ、排出口は側面を臨ませて排出配管２０と着脱可能にし、また、水中ポンプ６０の出口側には水位感知センサー７４を設置し、水位感知センサー７４によって水位が感知されると、ポンプ６０を駆動させて本体３０に満たされた水を排出できるようにし、一方、本体３０の前面には足場３５と、前記足場３５によって接続されるスィッチ７３とを設置することにより、スィッチ７３の接続時にはポンプ６０が駆動され、水位感知センサー７４で感知できない少量の水をも排出できるようにする。
【００１８】
ここで、水中ポンプ６０が故障する場合、本体３０に満たされた水は排出口３４を介して外部に排出し、前記排出口３４には普段は水中ポンプ６０に大気圧が作用するべく外部空気流動通路を形成する。
【００１９】
一方、排出配管２０には、水の排出を可能にすると共に逆方向への流れを防止する逆止め弁２１を設置し、排出配管２０の先端部には、金魚鉢１の一側に引っ掛け可能にする掛け部を下方に向けて設ける。前記逆止め弁２１を構成する止め板２１ａには、ポンプ６０の作動終了後に排出配管２０に満たされた水が迅速に本体３０に排出できるように、排出孔２１ｂまたは空間部２１ｃを形成する。
【００２０】
本発明のフィルタ４０、４０ａは、図８及び図９に示すように、下部に排出孔４２が形成されたフィルタケース４１の内側に不織布製などのフィルタ網４３を設けた後、前記フィルタ網４３の上部外側をフィルタケース４１に密着させる密着枠体４４を備えてなる。密着枠体４４を取り外してフィルタ網４３を新しいものに入れ替えた後、再び密着枠体４４を嵌め込むことにより、フィルタ網４３を簡単に交換することができる。
【００２１】
本発明では、フィルタ４０、４０ａを二重に設置し、前記フィルタ４０ａは本体３０に固定された支持具３６の上部に支持されて設置される。前記フィルタ４０ａの上部にフィルタ４０が結合されて二重設置となり、前記二重のフィルタ４０、４０ａで金魚鉢１の水をきれいにろ過した後、水中ポンプ６０を介して金魚鉢１に回収させる。
【００２２】
一方、本発明の蓋体３１には、内部を確認可能な透視窓３１ａと、内部を照らせる照明器３１ｂと、内部に満たされてくる水の水位を感知する感知器３１ｃとをそれぞれ設置する。これにより、前記感知器３１ｃによって水位が感知されると、照明器３１ｂと共に設置された警報器３１ｄが作動することになる。
【００２３】
すなわち、フィルタ４０、４０ａによる水のろ過過程を照明器３１ｂの照明で透視窓３１ａから確認させ、このとき、フィルタ４０による水のろ過が円滑に行われず、本体３０内に満たされてくる水の水位が感知器３１ｃによって感知されると、警報器３１ｄを駆動させてそれをユーザに積極的に知らせる。
【００２４】
次に、上記構成の本発明を用いて金魚鉢１の底部に蓄積された排泄物や異物を除去し、水を再び金魚鉢１に回収させる過程について説明する。
【００２５】
先ず、パワースィッチ７１をＯＮにしてポンプ６０の作動を行い、排出配管２０の先端を金魚鉢１の一側に引っ掛けた後、吸入配管１０の吸入口１２を水中に位置させた状態で吸入器１１を圧搾及び解除過程を繰り返すと、金魚鉢１の水が吸入器１１に吸い込まれ、開閉弁８０を介してフィルタ４０に流入する。
【００２６】
このとき、吸入器１１の両側にはそれぞれの逆止め弁が設置されていて、吸入器１１を圧搾すると、吸入器１１に満たされた水が本体３０の方へ排出され、吸入器１１を解除すると、吸入口１２の方から水が吸い込まれて吸入器１１に満たされるようになる。
【００２７】
吸入器１１に吸い込まれた水をフィルタ４０に流入させてフィルタ網４３によって排泄物や異物をろ過させた後、再びフィルタ４０ａに流入させてさらに水をろ過させ、すなわち二重のフィルタ４０、４０ａをろ過させることにより異物のないきれいな水にする。
【００２８】
また、吸入配管１０を介して水が流入すると、吸入器１１を押さなくてもサイフォン原理によって金魚鉢１の水が連続的にフィルタ４０、４０ａに流入することになり、この状態で吸入口１２を金魚鉢１の内部で移動させて排泄物や異物を吸入口１２を介して水と共に吸い込む。この際、砂は吸入口１２の下部で浮び上がるが、比重が重いため吸入配管１０ までは到達できないので、ほとんど排出せずに、比重が軽い排泄物や異物のみが水と共に吸入配管１０から排出される。
【００２９】
しかし、金魚鉢１の高さが高くて位置差が大きければ、吸入力が高くなるため、吸入配管１０に水と共に砂も吸い込まれることがある。この場合は、開閉弁８０の開閉度を調整して吸入配管１０による水の排出量を減らすことにより、砂の排出を防止する。
【００３０】
つまり、金魚鉢１と本体３０の高さ差（位置差）が大きくなければ、開閉弁８０を開いた状態で作動を行い、一方、位置差の大きければ、開閉弁８０を少しずつ閉じて水の排出量を少しずつ減らすことにより、砂を除いて水と共に異物や排泄物のみが吸い込まれるようにする。
【００３１】
吸入配管１０を介して排出された水はフィルタ４０、４０ａでろ過され、フィルタ４０、４０ａにより排泄物と異物がろ過された水は、水中ポンプ６０が設置された本体３０の内部に満たされる。本体３０に満たされた水が水位感知センサー７４により感知されると、ポンプ６０が作動して水が排出配管２０を介して金魚鉢１に回収され、一方、水位感知センサー７４により水位が感知されないと、ポンプ６０の作動が停止される。
【００３２】
すなわち、本体３０に水がある程度満たされると、ポンプ６０を作動させて水を金魚鉢１に移動させ、一方、水位が低くなると、ポンプ６０の作動を停止させる。これにより、本体３０には常時少量の水のみが存在することになる。
【００３３】
前記排出配管２０には逆止め弁２１が設置されているため、排出が途中で止まっても排出配管２０に存在する水が本体３０内部に流入しないので、ポンプ６０の作動が円滑に行われる。
【００３４】
このとき、逆止め弁２１の内部には止め板２１ａが設けられていることから、排出配管２０に満たされている水が排水されにくく、さらにポンプ作業完了後に排出配管を取り外した後にも逆止め弁２１が原因で排出配管２０に満たされている水が本体３０に排水されにくいため、排出配管２０をしばらく揺する必要がある。このため、本発明では、逆止め弁２１の止め板２１ａに小径の排出孔２１ｂまたは空間部２１ｃを形成することにより、正常的なポンプ作業時には止め板２１ａの上部に水が満たされた状態で本体３０に水が満たされるしばらくの間ポンプ作業が停止されるが、この場合は、止め板２１ａの上部に満たされた水が排出孔２１ａまたは空間部２１ｃを介して排出される前に再びポンプ作業が行われるので、なんら問題がない。また、ポンプ作業が完全に終了してしばらくの間ポンプ６０が作動しないと、止め板２１ａの上側に満たされている水が排出孔２１ｂまたは空間部２１ｃを介して排水され、この際、水面が排出孔２２ｂまたは空間部２１ｃを通過する瞬間、排出配管２０に満たされた水が急速に排水されるので、排出配管２０の整理時に内部に満たされた水を排水することが不要になる。
【００３５】
すなわち、正常に金魚鉢１を掃除する場合は、逆止め弁２１が正常に作動し、掃除が完了してポンプ作業が停止されると、止め板２１ａの上部に満たされている水が排出孔２２ｂまたは空間部２１ｃを介して排水され、この際、水面が排出孔２２ｂまたは空間部２１ｃを通過する瞬間即座に排水されるので、ポンプ作業完了後にユーザがしばらくの間排出配管２０を持っていると、排出配管２０内の水が容易に排水される。
【００３６】
一方、本発明は、本体３０に設置された水中ポンプ６０が作動停止または故障した場合にもフィルタ４０、４０ａを介してろ過された水が継続的に投入される場合、排出口３４を介して外部に排出できるようにする。
【００３７】
また、本発明は、蓋体３１に設置された透視窓３１ａを用いてフィルタ４０による水のろ過過程を確認することができ、この際、照明器３１ｂを点灯させて内部を照らした状態で透視窓３１ａから確認できるようにする。
【００３８】
また、本発明では、フィルタ４０、４０ａでの水のろ過が円滑にできない場合、フィルタ４０が水で満たされるようになるが、その際、感知器３１ｃを用いてその水位を感知して警報器３１ｄを鳴らすことにより、迅速な処置を行うことができる。
【００３９】
特に、本発明は、二重フィルタ４０、４０ａを用い、それぞれのフィルタ４０、４０ａのフィルタ網４３を簡単に交換できるので、水をきれいにろ過することが容易となる。
【図面の簡単な説明】
【００４０】
【図１】本発明の斜視図である。
【図２】本発明の本体内部を示す断面図である。
【図３】本発明の掃除状態を示す説明図である。
【図４】本発明の逆止め弁の断面図である。
【図５】本発明の逆止め弁の平面図である。
【図６】本発明のポンピング状態の逆止め弁の断面図である。
【図７】本発明の排出状態の逆止め弁の断面図である。
【図８】本発明のフィルタの分解斜視図である。
【図９】本発明のフィルタの分解斜視図である。
【図１０】本発明のフィルタの分解断面図である。
【図１１】本発明の透視窓付きの蓋体の断面図である。
【図１２】本発明の感知器付きの蓋体の断面図である。
【符号の説明】
【００４１】
１    金魚鉢
１０    吸入配管
１１    吸入器
１２    吸入口
２０    排出配管
２１    逆止め弁(check valve)
３０    本体 
３１    蓋体
３１ａ    透視窓
３１ｂ    照明器
３１ｃ    感知器
３４    排出口
３６    支持具
４０、４０a    フィルタ
４１    フィルタケース 
４２    排出孔
４３    フィルタ網 
４４    密着枠体
６０    ポンプ
８０    開閉弁
【図１】
2009159922.tif 000003
【図２】
2009159922.tif 000004
【図３】
2009159922.tif 000005
【図４】
2009159922.tif 000006
【図５】
2009159922.tif 000007
【図６】
2009159922.tif 000008
【図７】
2009159922.tif 000009
【図８】
2009159922.tif 000010
【図９】
2009159922.tif 000011
【図１０】
2009159922.tif 000012
【図１１】
2009159922.tif 000013
【図１２】
2009159922.tif 000014